(57)【要約】【課題】オペレータが目的の画面を容易に探し出すことができる表示画面制御装置および表示画面制御方法を提供する。【解決手段】履歴格納手段３１は、画面選択の操作履歴を格納する。評価手段３２は、履歴格納手段３１に格納された操作履歴に基づいて、次に選択される可能性についての候補画面に対する評価を行う。受付画面表示手段３３は、評価手段３２による評価が上位から所定数の候補画面についてオペレータの選択を受け付けるための受付画面を表示する。選択画面表示手段３４は、上記受付画面を用いて選択された候補画面を表示する。【選択図】図１
2007316783.tif 000002
【特許請求の範囲】
【請求項１】
次に表示させたい画面をオペレータの選択に従って表示する表示画面制御装置において、
画面選択の操作履歴を格納する履歴格納手段と、
前記操作履歴に基づいて、次に選択される可能性についての候補画面に対する評価を行う評価手段と、
前記評価手段による評価が上位から所定数の候補画面についてオペレータの選択を受け付けるための受付画面を表示する受付画面表示手段と、
前記受付画面を用いて選択された候補画面を表示する選択画面表示手段と、
を備えることを特徴とする表示画面制御装置。
【請求項２】
前記評価手段は、候補画面の表示内容に基づいて当該候補画面を評価することを特徴とする請求項１に記載の表示画面制御装置。
【請求項３】
前記評価手段は、候補画面が過去に選択された回数に基づいて当該候補画面を評価することを特徴とする請求項１に記載の表示画面制御装置。
【請求項４】
前記評価手段は、候補画面が過去直近に選択された時刻から現在時刻までの経過時間に基づいて当該候補画面を評価することを特徴とする請求項１に記載の表示画面制御装置。
【請求項５】
前記評価手段は、候補画面を過去に選択したオペレータと現在のオペレータとの関係に基づいて当該候補画面を評価することを特徴とする請求項１に記載の表示画面制御装置。
【請求項６】
前記評価手段は、過去に選択した候補画面の表示位置に基づいて当該候補画面を評価することを特徴とする請求項１に記載の表示画面制御装置。
【請求項７】
前記評価手段は、現在表示中の画面と、前記操作履歴に含まれる画面選択の順序と、に基づいて前記候補画面を評価することを特徴とする請求項１に記載の表示画面制御装置。
【請求項８】
候補画面を選択するオペレータを認識する認識手段を備え、
前記履歴格納手段は、前記認識手段により認識されたオペレータごとに操作履歴を格納し、
前記表示手段は、当該オペレータごとに評価を行うことを特徴とする請求項１〜７のいずれか１項に記載の表示画面制御装置。
【請求項９】
前記受付画面表示手段は、個々の前記候補画面に対応するイメージのアイコンを表示し、前記選択画面表示手段は選択された前記アイコンに対応する当該候補画面を表示することを特徴とする請求項１〜８のいずれか１項に記載の表示画面制御装置。
【請求項１０】
前記候補画面は、プラントの監視画面であることを特徴とする請求項１〜９のいずれか１項に記載の表示画面制御装置。
【請求項１１】
次に表示させたい画面をオペレータの選択に従って表示する表示画面制御方法において、
画面選択の操作履歴を格納するステップと、
前記操作履歴に基づいて、次に選択される可能性についての候補画面に対する評価を行うステップと、
前記評価手段による評価が上位から所定数の候補画面についてオペレータの選択を受け付けるための受付画面を表示するステップと、
前記受付画面を用いて選択された候補画面を表示するステップと、
を備えることを特徴とする表示画面制御方法。
【請求項１２】
前記受付画面を表示するステップでは、個々の前記候補画面に対応するアイコンを表示し、前記選択画面を表示するステップでは、選択された前記アイコンに対応する当該候補画面を表示することを特徴とする請求項１１に記載の表示画面制御方法。
【請求項１３】
前記候補画面は、プラントの監視画面であることを特徴とする請求項１１または１２に記載の表示画面制御方法。
【発明の詳細な説明】
【技術分野】
【０００１】
本発明は、次に表示させたい画面をオペレータの選択に従って表示する表示画面制御装置および表示画面制御方法に関する。
【背景技術】
【０００２】
多数のフィールド機器が設置されたプラントを集中的に監視、操作するプラント制御システムでは、オペレータは必要な表示内容を、ウィンドウを指定することで選択している。図６は、監視画面を示しており、選択されたウィンドウ６１と、次に表示させるウィンドウを指定するためのメニューウィンドウ６２とが表示されている。メニューウィンドウ６２には、ウィンドウ名「ＧＲ０１」、「ＧＲ０２」等の文字列が一覧表示され、オペレータが特定の文字列を選択することで、対応するウィンドウが表示される。例えば、図６では、ウィンドウ「ＧＲ０１」が選択され、ウィンドウ６１として表示されている。
【０００３】
特許文献１には、プラントの操作と監視を行うための画面を表示するプラント制御システムの表示装置が記載されている。
【０００４】
【特許文献１】特開１０−１２４２８４号公報
【発明の開示】
【発明が解決しようとする課題】
【０００５】
しかし、従来のシステムでは、メニューウィンドウの表示は固定的なものであり、ウィンドウ名を予め決められた順序、例えば、アルファベット順に表示している。このため、選択される頻度が高いものと低いものとが、混在して並列しており、オペレータは操業中に必要となるウィンドウを一覧表示の中から探し出す必要がある。また、ウィンドウが文字列で表示されているため、ウィンドウを開くまで、そのイメージを知ることができない。
【０００６】
本発明の目的は、オペレータが目的の画面を容易に探し出すことができる表示画面制御装置および表示画面制御方法を提供することにある。
【課題を解決するための手段】
【０００７】
本発明の表示画面制御装置は、次に表示させたい画面をオペレータの選択に従って表示する表示画面制御装置において、画面選択の操作履歴を格納する履歴格納手段と、前記操作履歴に基づいて、次に選択される可能性についての候補画面に対する評価を行う評価手段と、前記評価手段による評価が上位から所定数の候補画面についてオペレータの選択を受け付けるための受付画面を表示する受付画面表示手段と、前記受付画面を用いて選択された候補画面を表示する選択画面表示手段と、を備えることを特徴とする。
この表示画面制御装置によれば、評価が上位から所定数の候補画面についてオペレータの選択を受け付けるための受付画面を表示するので、オペレータは、次に表示させたい画面を容易に選択できる。
【０００８】
前記評価手段は、候補画面の表示内容に基づいて当該候補画面を評価してもよい。
【０００９】
前記評価手段は、候補画面が過去に選択された回数に基づいて当該候補画面を評価してもよい。
【００１０】
前記評価手段は、候補画面が過去直近に選択された時刻から現在時刻までの経過時間に基づいて当該候補画面を評価してもよい。
【００１１】
前記評価手段は、候補画面を過去に選択したオペレータと現在のオペレータとの関係に基づいて当該候補画面を評価してもよい。
【００１２】
前記評価手段は、過去に選択した候補画面の表示位置に基づいて当該候補画面を評価してもよい。
【００１３】
前記評価手段は、現在表示中の画面と、前記操作履歴に含まれる画面選択の順序と、に基づいて前記候補画面を評価してもよい。
【００１４】
候補画面を選択するオペレータを認識する認識手段を備え、前記履歴格納手段は、前記認識手段により認識されたオペレータごとに操作履歴を格納し、前記表示手段は、当該オペレータごとに評価を行ってもよい。
【００１５】
前記受付画面表示手段は、個々の前記候補画面に対応するイメージのアイコンを表示し、前記選択画面表示手段は選択された前記アイコンに対応する当該候補画面を表示してもよい。
【００１６】
前記候補画面は、プラントの監視画面であってもよい。
【００１７】
本発明の表示画面制御方法は、次に表示させたい画面をオペレータの選択に従って表示する表示画面制御方法において、画面選択の操作履歴を格納するステップと、前記操作履歴に基づいて、次に選択される可能性についての候補画面に対する評価を行うステップと、前記評価手段による評価が上位から所定数の候補画面についてオペレータの選択を受け付けるための受付画面を表示するステップと、前記受付画面を用いて選択された候補画面を表示するステップと、を備えることを特徴とする。
この表示画面制御方法によれば、評価が上位から所定数の候補画面についてオペレータの選択を受け付けるための受付画面を表示するので、オペレータは、次に表示させたい画面を容易に選択できる。
【００１８】
前記受付画面を表示するステップでは、個々の前記候補画面に対応するアイコンを表示し、前記選択画面を表示するステップでは、選択された前記アイコンに対応する当該候補画面を表示してもよい。
【００１９】
前記候補画面は、プラントの監視画面であってもよい。
【発明の効果】
【００２０】
本発明の表示画面制御装置によれば、評価が上位から所定数の候補画面についてオペレータの選択を受け付けるための受付画面を表示するので、オペレータは、次に表示させたい画面を容易に選択できる。
【００２１】
本発明の表示画面制御方法によれば、評価が上位から所定数の候補画面についてオペレータの選択を受け付けるための受付画面を表示するので、オペレータは、次に表示させたい画面を容易に選択できる。
【発明を実施するための最良の形態】
【００２２】
以下、図１〜図５を参照して、本発明による表示画面制御装置の一実施形態について説明する。
【００２３】
図１は、本実施形態の表示画面制御装置が用いられるプラント制御システムの構成を示すブロック図である。
【００２４】
図１に示すように、プラント制御システムは、フィールド機器１，１，・・・を制御するフィールドコントローラ２，２，・・・と、通信回線４を介してフィールドコントローラ２，２，・・・に接続された表示画面制御装置としての端末装置３と、を備える。
【００２５】
端末装置３は、画面選択の操作履歴を格納する履歴格納手段３１と、履歴格納手段３１に格納された操作履歴に基づいて、次に選択される可能性についての候補画面に対する評価を行う評価手段３２と、評価手段３２による評価が上位から所定数の候補画面についてオペレータの選択を受け付けるための受付画面を表示する受付画面表示手段３３と、上記受付画面を用いて選択された候補画面を表示する選択画面表示手段３４と、を構成する。
【００２６】
図２は、端末装置３の動作手順を示すフローチャート、図３は、端末装置３に表示される画面を例示する図である。
【００２７】
図２のステップＳ１では、現在、端末装置３を操作しているオペレータを取得する。ここでは、例えば、端末装置３でのユーザ認証時に入力されたユーザ名を用いてオペレータを取得する。
【００２８】
次に、ステップＳ２では、現在、端末装置３に表示されているウィンドウのウィンドウ名を取得する。図３の例では、端末装置３には、オペレータの指示に従ってウィンドウ５１が表示されており、ステップＳ２では、そのウィンドウ名「ＧＲ０１」を取得する。
【００２９】
次に、ステップＳ３では、履歴格納手段３１から画面選択の操作履歴を取得する。操作履歴には、過去に選択され、表示されたウィンドウのウィンドウ名、ウィンドウの種類、表示日時、画面上におけるウィンドウの表示位置、ウィンドウを選択したオペレータ、直前に表示されていたウィンドウ等の履歴が含まれる。
【００３０】
次に、ステップＳ４では、評価手段３２により、操作履歴に基づいて過去に選択、表示されたことがあるウィンドウを候補ウィンドウとして、候補ウィンドウの評価を行う。ここでは、各候補ウィンドウについて、オペレータによって次に表示されるウィンドウとして選択される可能性が評価される。
【００３１】
図４は、評価手段３２による評価により、各候補ウィンドウを点数化するための評価関数を例示するテーブルを示している。
【００３２】
図４のテーブルでは、評価項目として、「ウィンドウの種類」、「過去の表示回数総計」、「過去直近の表示日時」、「過去直近に選択したオペレータ」、「過去直近の表示位置」、および「直前のウィンドウ」が例示されている。これらの項目は操作履歴を検索することで取得できる。
【００３３】
「ウィンドウの種類」は、「グラフィック」、「計器図」等、候補ウィンドウの種類であり、選択される可能性の高いウィンドウの種類には高い評価値が与えられる。例えば、「グラフィック」には５点の評価値が、「計器図」には４点の評価値が、それぞれ与えられる。
【００３４】
「過去の表示回数総計」は、各候補ウィンドウを過去に表示した回数の総計である。表示回数の総計が多いほど、次に選択される可能性も高いと評価されるため、評価値が大きくなる。
【００３５】
「過去直近の表示日時」は、各候補ウィンドウが最後に選択され、表示された時刻である。この時刻から現在時刻までの時間が短いほど、評価値が大きくなる。例えば、この時間が１時間以下であれば、その候補ウィンドウには５点の評価値が、この時間が１ヶ月を越えていれば、その候補ウィンドウには１点の評価値が、それぞれ与えられる。
【００３６】
「過去直近に選択したオペレータ」は、各候補ウィンドウを最後に選択したオペレータであり、このオペレータがステップＳ１で取得された現在のオペレータと同一であればその候補ウィンドウには５点の評価値が、現在のオペレータと異なるが役割が同一であればその候補ウィンドウには３点の評価値が、現在のオペレータと役割も異なれば１点の評価値が、それぞれ与えられる。この評価は、オペレータの近似性と、同一ウィンドウが選択される確率との間に正の相関が存在するであろうという予測に基づくものである。例えば、オペレータの役割が異なれば、高い頻度で必要となるウィンドウは異なる。図４のテーブルの例では、オペレータや役割に応じて評価が変わるため、常に、操作中のオペレータに適合した候補ウィンドウを評価上位のウィンドウとして抽出できる。
【００３７】
「過去直近の表示位置」は、各候補ウィンドウを最後に表示した際の画面上での表示位置である。表示位置は、ウィンドウを選択したオペレータの指示に基づいて設定される。図４のテーブルの例では、例えば、表示位置が右上であればその候補ウィンドウには５点の評価値が、表示位置が左下であればその候補ウィンドウには１点の評価値が、それぞれ与えられる。
【００３８】
「直前のウィンドウ」は、各候補ウィンドウを最後に表示したときの直前に表示されていたウィンドウである。直前のウィンドウが現在表示しているウィンドウと同一であれば、その候補ウィンドウには５点の評価値が与えられ、異なれば１点の評価値が与えられる。例えば、候補ウィンドウ「ＴＧ０１」を最後に表示したときの直前のウィンドウがウィンドウ「ＧＲ０１」であったとすれば、図３に示すように、直前のウィンドウは現在表示しているウィンドウと同一である。したがって、この場合には候補ウィンドウ「ＴＧ０１」に５点の評価値が与えられる。この評価は、過去におけるウィンドウの表示順序と同一の表示順序が再び出現する蓋然性が高いであろうとの予測に基づくものである。このように、現在表示中のウィンドウと、操作履歴に含まれるウィンドウ選択の順序と、に基づいて候補ウィンドウを評価することもできる。
【００３９】
図４のテーブルに示すすべての項目での評価値合計により、各候補ウィンドウが評価される。
【００４０】
図５に、図４のテーブルに従って評価された各候補ウィンドウの評価値合計を例示している。この例では、すべての候補ウィンドウの中で、ウィンドウ「ＴＧ０１」、ウィンドウ「ＧＲ０５」、ウィンドウ「ＦＩＣ０１」の評価値合計が、それぞれ「２５」、「２１」、「１５」であり、上位に位置している。
【００４１】
次に、ステップＳ５では、受付画面表示手段３３により、図３に示すメニューウィンドウ５２を画面表示する。図３に示すように、メニューウィンドウ５２には、評価値合計が大きい順に、ウィンドウ「ＴＧ０１」、ウィンドウ「ＧＲ０５」、ウィンドウ「ＦＩＣ０１」等のアイコンが一覧表示されている。アイコンは各ウィンドウを縮小表示したイメージである。このため、オペレータはアイコンを見るだけで、ウィンドウに示される情報の概況を知ることも可能となり、次に選択すべきウィンドウを迅速に決定できる。また、ウィンドウを開くまでもなく、アイコンにより必要な情報を獲得できる可能性もある。
【００４２】
なお、評価値合計が小さなウィンドウおよび候補ウィンドウに含まれないウィンドウは、そのウィンドウ名を示す文字列を一覧表示してもよい。
【００４３】
次に、ステップＳ６では、次に表示すべきウィンドウが選択されたか否か判断し、判断が肯定されるのを待って、ステップＳ７へ進む。オペレータは、アイコンまたは文字列を選択操作することで、対応するウィンドウを選択できる。
【００４４】
ステップＳ７では、選択画面表示手段３４により、ステップＳ６で選択されたウィンドウを表示する。図３では、ウィンドウ「ＧＲ０１」が表示された例を示している。
【００４５】
次に、ステップＳ８では、履歴格納手段３１に格納された操作履歴を更新して、ステップＳ１へ戻る。更新された操作履歴には、直前のウィンドウの選択操作が取り込まれる。
【００４６】
このように、本実施形態の表示画面制御装置では、次に選択される可能性の高いウィンドウを操作履歴に基づいて特定の評価関数を用いて抽出し、評価結果の順にこれらのウィンドウのアイコンを表示している。このため、目的のウィンドウを探し出すためのオペレータの作業を最小化することができる。また、プラントの階層構造やフィールド機器間の関連を考慮してメニューウィンドウ内の表示を設計しなくても、自動的に最適な表示状態を獲得できる。
【００４７】
また、アイコンとして、各ウィンドウの縮小画像を用いることで、オペレータが容易にウィンドウの内容を把握できる。なお、本実施形態では、ウィンドウの評価によって、アイコンを表示させるべきウィンドウ数を絞り込むことができるため、アイコンを表示させるための画像領域を抑制しつつ、ウィンドウのイメージを視認できるだけのアイコンのサイズを確保できる。
【００４８】
上記実施形態では、すべてのオペレータについて操作履歴を共通に用いているが、オペレータ後と、あるいはオペレータの役割ごとに操作履歴を管理し、対応する操作履歴を用いて候補ウィンドウを評価するようにしてもよい。また、上記実施形態では、各ウィンドウを縮小表示したイメージのアイコンを用いているが、アイコンのイメージはウィンドウの内容を視認しやすいものであれば、どのようなものでもよい。
【００４９】
本発明の適用範囲は上記実施形態に限定されることはない。本発明は、次に表示させたい画面をオペレータの選択に従って表示する表示画面制御装置および表示画面制御方法に対し、広く適用することができる。
【図面の簡単な説明】
【００５０】
【図１】本実施形態の表示画面制御装置が用いられるプラント制御システムの構成を示すブロック図。
【図２】端末装置の動作手順を示すフローチャート。
【図３】端末装置に表示される画面を例示する図。
【図４】各候補ウィンドウを点数化するためのテーブルを示す図。
【図５】図４のテーブルに従って評価された各候補ウィンドウの評価値合計を例示する図。
【図６】従来の監視画面を示す図。
【符号の説明】
【００５１】
３      端末装置
３１    履歴格納手段
３２    評価手段
３３    受付画面表示手段
３４    選択画面表示手段
【図１】
2007316783.tif 000003
【図２】
2007316783.tif 000004
【図３】
2007316783.tif 000005
【図４】
2007316783.tif 000006
【図５】
2007316783.tif 000007
【図６】
2007316783.tif 000008